(57)【要約】【課題】高効率で信頼性が高く組立性の良い電気集塵機を提供する。【解決手段】ひとつの筐体内に電源部と電気集塵部を配し、電源部には高電圧印加装置を配し、電源部と電気集塵部は分離可能となるように構成され、電源部に電気集塵部を装着することにより、電源部から電気集塵部に電源を供給できるように構成されている。電気集塵部は、放電部（７）と集塵部（８）で構成され、放電部（７）は、空気流路の上流側に配置された放電電極（９）と対向電極（１０）で一組の電極組とし、集塵部は、下流側まで延長した前記対向電極（１０）をくの字状（１２）に曲げ、同様に曲げた中圧電極（１３）との間の距離が、均等になるように中圧電極（１３）を配し、放電電極（１０）には、プラスの高電圧を印加し、前記中圧電極（１３）には、前記高電圧より低いプラスの電圧を印加し、くの字状（１２）に曲げた下流側の対向電極（１０）により集塵を行うものである。【選択図】図４
2009165957.tif 000002
【特許請求の範囲】
【請求項１】
ひとつの筐体内に電源部と電気集塵部を配し、電気集塵部は、空気流路の上流側に配置された放電部とその下流側に配置された集塵部で構成され、放電部は、放電電極と対向電極とを有し、集塵部は、中圧電極と対向電極とを有し、下流側の集塵部にて集塵を行う電気集塵機にあって、放電電極には、プラスの高電圧を印加し、中圧電極には、放電電極に印加する電圧より低いプラスの電圧を印加し、集塵部の対向電極と中圧電極を空気流路の方向にくの字状に曲げたことを特徴とする電気集塵ユニット。
【請求項２】
集塵部の対向電極と中圧電極のくの字状に折り曲げたの山の高さは、対向電極と中圧電極の間の距離よりも高いことを特徴とする請求項１記載の電気集塵ユニット。
【請求項３】
集塵部の対向電極と中圧電極の両端における相互の最短距離は、くの字に曲げた部分のそれぞれの電極間の距離より、大きくしたことを特徴とする請求項１〜２いずれかに記載の電気集塵ユニット。
【請求項４】
集塵部の対向電極と中圧電極の両端における相互のスキマに、絶縁体を介在させたことを特徴とする請求項１〜３いずれかに記載の電気集塵ユニット。
【請求項５】
集塵部の対向電極と中圧電極の両端に、それぞれ別個に独立した位置決めの樹脂を設けたことを特徴とする請求項１〜４いずれかに記載の電気集塵ユニット。
【請求項６】
集塵部の対向電極と中圧電極の最下流側と近接するように、電極カバーの空気出口部付近にリブを設けたことを特徴とする請求項１〜５いずれかに記載の電気集塵ユニット。
【請求項７】
放電電極、中圧電極両端に、それぞれ配した樹脂カバーと、電極との間には、それぞれスキマを設けたことを特徴とする請求項１〜６いずれかに記載の電気集塵ユニット。
【請求項８】
対向電極を覆う前面パネルに設けた、該対向電極の位置決めリブは、放電電極を中心とするＲ形状を設けたことを特徴とする請求項１〜７いずれかに記載の電気集塵ユニット。
【請求項９】
対向電極や中圧電極の両端を、それぞれバネ鋼材製の位置決め具で固定したことを特徴とする請求項１〜８いずれかに記載の電気集塵ユニット。
【請求項１０】
対向電極や中圧電極の中間付近を、短手方向に樹脂製の位置決め具で固定したことを特徴とする請求項１〜９いずれかに記載の電気集塵ユニット。
【請求項１１】
樹脂製の位置決め具は、対向電極と中圧電極の中間の長手方向に、リブを設けたことを特徴とする請求項１０記載の電気集塵ユニット。
【発明の詳細な説明】
【技術分野】
【０００１】
本発明は、高効率集塵の必要な精密機器に配設可能とした電気集塵ユニットに関する。
【背景技術】
【０００２】
従来の電気集塵ユニットは、帯電部と集塵部を備えた電気集塵機が知られている（例えば、特許文献１参照）。
【０００３】
この電気集塵機１００は、帯電部１０１にプラス側電極１０２とマイナス側電極１０３を有し、該集塵機に流入する空気中の塵埃を帯電させ、集塵部１０４に流入する帯電塵埃を捕集するものであるが、前記集塵部の流路１０５の間隔は、流入側１０６よりも流出側１０７が徐々に狭くなるように設定されているため、効率良く集塵することができる。
【特許文献１】特開平６−１７０２７９号公報
【発明の開示】
【発明が解決しようとする課題】
【０００４】
このような従来の電気集塵ユニットでは、電気集塵効率が比較的低く、塵埃を嫌う精密機器等へ配設することができないという課題がある。
【課題を解決するための手段】
【０００５】
本発明の電気集塵ユニットは、上記目的を達成するために、ひとつの筐体内に電源部と電気集塵部を配し、電源部と電気集塵部は分離可能となるように構成され、電源部に電気集塵部を装着することにより、電源部から電気集塵部に電源を供給できるように構成されている。電源部は、高電圧印加装置を配し、該高電圧印加装置は高電圧と前記高電圧より低い中電圧を発生させることができるようになっている。電気集塵部は、放電部と集塵部で構成され、放電部は、空気流路の上流側に配置された放電電極と対向電極で一組の電極組とし、集塵部は、下流側まで延長した前記対向電極をくの字状に曲げ、同様に曲げた中圧電極との間の距離が、均等になるように中圧電極を配し、放電電極には、プラスの高電圧を印加し、前記中圧電極には、前記高電圧より低いプラスの電圧を印加し、くの字状に曲げた下流側の対向電極により集塵を行うものである。
【０００６】
この手段により、プラスの高電圧を放電電極に印加することで、空気流路の塵埃をプラスに帯電させ、中圧電極には高電圧より低いプラスの電圧を印加することにより、プラスに帯電させた塵埃を反発させ、下流側の対向電極により集塵を行うものであるが、中圧電極、対向電極をくの字状に曲げているため、プラスに帯電させた塵埃は、対向電極に接触し易く、また長い距離接触することにより、効率良く集塵できる。
【０００７】
また、他の手段は、集塵部の対向電極と中圧電極のくの字状に折り曲げたの山の高さは、対向電極と中圧電極の間の距離よりも高いことにより、より対向電極に接触し易く、またより長い距離接触することになり、効率良く集塵できる。
【０００８】
また、他の手段は、集塵部の対向電極と中圧電極の両端における相互の最短距離は、くの字に曲げた部分のそれぞれの電極間の距離より、大きくしたことにより、対向電極と中圧電極は、短絡し難く、信頼性の高い電気集塵機を提供できる。
【０００９】
また、他の手段は、集塵部の対向電極と中圧電極の両端における相互のスキマに、絶縁体を介在させたことにより、対向電極と中圧電極は、沿面距離が大きくなり、短絡し難く、信頼性の高い電気集塵機を提供できる。
【００１０】
また、他の手段は、集塵部の対向電極と中圧電極の両端に、それぞれ別個に独立した位置決めの樹脂を設けたことにより、対向電極と中圧電極は、沿面距離が大きくなり、短絡し難く、信頼性の高い電気集塵機を提供できる。
【００１１】
また、他の手段は、集塵部の対向電極と中圧電極の最下流側と近接するように、電極カバーの空気出口部付近にリブを設けたことにより、対向電極と中圧電極は、沿面距離が大きくなり、短絡し難く、信頼性の高い電気集塵機を提供できる。
【００１２】
また、他の手段は、放電電極、中圧電極両端に、それぞれ配した樹脂カバーと、電極との間には、それぞれスキマを設けたことにより、対向電極と中圧電極は、沿面距離が大きくなり、短絡し難く、信頼性の高い電気集塵機を提供できる。
【００１３】
また、他の手段は、対向電極を覆う前面パネルに設けた、該対向電極の位置決めリブは、放電電極を中心とするＲ形状を設けることにより、放電電極と前面パネルの必要最小距離は確保しながら、対向電極の位置決めの深さを、十分に取ることが  できるため、信頼性の高い電気集塵機を提供できる。
【００１４】
また、他の手段は、対向電極や中圧電極の両端を、それぞれバネ鋼材製の位置決め具で固定することにより、複雑に曲げた対向電極や中圧電極を、それぞれが導通した状態で、単品で複数枚組み立てることができる。
【００１５】
また、他の手段は、対向電極や中圧電極の中間付近を、短手方向に樹脂製の位置決め具で固定することにより、対向電極と中圧電極間の距離を確実に保持できるため、信頼性の高い電気集塵機を提供できる。
【００１６】
また、他の手段は、前記樹脂製の位置決め具は、対向電極と中圧電極の中間の長手方向に、リブを設けることにより、対向電極と中圧電極は、沿面距離が大きくなり、短絡し難く、信頼性の高い電気集塵機を提供できる。
【発明の効果】
【００１７】
本発明によれば、高効率で信頼性が高く組立性の良い電気集塵機を提供することができる。
【発明を実施するための最良の形態】
【００１８】
本発明の請求項１記載の電気集塵ユニットは、プラスの高電圧を放電電極に印加することで、空気流路の塵埃をプラスに帯電させ、中圧電極には高電圧より低いプラスの電圧を印加することにより、プラスに帯電させた塵埃を反発させ、下流側の対向電極により集塵を行うものであるが、中圧電極、対向電極をくの字状に曲げることにより、プラスに帯電させた塵埃は、対向電極に接触し易く、また長い距離接触することにより、効率良く集塵できるという作用を有する。また中圧電極、対向電極をＺ字やＷ字形状に曲げても良い。
【００１９】
また、本発明の請求項２記載の電気集塵ユニットは、集塵部の対向電極と中圧電極のくの字状に折り曲げたの山の高さは、対向電極と中圧電極の間の距離よりも高いことにより、プラスに帯電された塵埃を素通りし難くする効果が期待でき、また前記塵埃は、より対向電極に接触し易く、より長い距離接触することになり、効率良く集塵できるという作用を有する。
【００２０】
また、本発明の請求項３記載の電気集塵ユニットは、集塵部の対向電極と中圧電極の両端における相互の最短距離は、くの字に曲げた部分のそれぞれの電極間の距離より、大きくしたことにより、集塵部の対向電極と中圧電極の両端においては、対向電極と中圧電極は、短絡し難くい構造となり、信頼性の高い電気集塵機を提供できるという作用を有する。
【００２１】
また本発明の請求項４記載の電気集塵ユニットは、集塵部の対向電極と中圧電極の両端における相互のスキマに、絶縁体を介在させたことにより、対向電極と中圧電極は、沿面距離が大きくなり、短絡し難く、信頼性の高い電気集塵機を提供できるという作用を有する。
【００２２】
また、本発明の請求項５記載の電気集塵ユニットは、集塵部の対向電極と中圧電極の両端に、それぞれ別個に独立した位置決めの樹脂を設けたことにより、対向電極と中圧電極は、沿面距離が大きくなり、短絡し難く、信頼性の高い電気集塵機を提供できるという作用を有する。
【００２３】
また、本発明の請求項６記載の電気集塵ユニットは、集塵部の対向電極と中圧電極の最下流側と近接するように、電極カバーの空気出口部付近にリブを設けたことにより、対向電極と中圧電極は、沿面距離が大きくなり、短絡し難く、信頼性の高い電気集塵機を提供できるという作用を有する。
【００２４】
また、本発明の請求項７記載の電気集塵ユニットは、放電電極、中圧電極両端に、それぞれ配した樹脂カバーと、電極との間には、それぞれスキマを設けたことにより、対向電極と中圧電極は、沿面距離が大きくなり、短絡し難く、信頼性の高い電気集塵機を提供できるという作用を有する。
【００２５】
また、本発明の請求項８記載の電気集塵ユニットは、対向電極を覆う前面パネルに設けた、該対向電極の位置決めリブは、放電電極を中心とするＲ形状を設けることにより、放電電極と前面パネルの必要最小距離は確保しながら、対向電極の位置決めの深さを、十分に取ることができるため、信頼性の高い電気集塵機を提供できるという作用を有する。
【００２６】
また、本発明の請求項９記載の電気集塵ユニットは、対向電極や中圧電極の両端を、それぞれバネ鋼材製の位置決め具で固定することにより、複雑に曲げた対向電極や中圧電極を、それぞれが導通した状態で、単品で複数枚組み立てることができるため、組付け性がよく信頼性の高い電気集塵機を提供できるという作用を有する。
【００２７】
また、本発明の請求項１０記載の電気集塵ユニットは、対向電極や中圧電極の中間付近を、短手方向に樹脂製の位置決め具で固定することにより、対向電極と中圧電極間の距離を確実に保持できるため、信頼性の高い電気集塵機を提供できるという作用を有する。また前記位置決め具は、樹脂製に限らず、その他の絶縁性の材料を使用しても良い。
【００２８】
また、本発明の請求項１１記載の電気集塵ユニットは、前記樹脂製の位置決め具は、対向電極と中圧電極の中間の長手方向に、リブを設けることにより、対向電極と中圧電極は、沿面距離が大きくなり、短絡し難く、信頼性の高い電気集塵機を提供できるという作用を有する。
【００２９】
（実施の形態１）
以下、本発明の実施の形態について図面を参照しながら説明する。
【００３０】
図１〜４に示すように、本実施の形態の電気集塵ユニット１は、それぞれ独立した電源部２と電気集塵部３で構成され、空気調和機（図示せず）や投影機などの空気吸込口部に配設される。電源部２と電気集塵部３は分離可能となるように構成され、電源部２に電気集塵部３を装着することにより、電源部の高電圧供給板４ａ、中電圧供給板３５ａ及びアース供給棒５ａから電気集塵部３の高電圧受給板４ｂ、中電圧受給板３５ｂ及びアース受給板５ｂを介して電気集塵部３に電源を供給できるように構成されている。電源部２には高電圧印加装置６を有し、電気集塵部３には、放電部７と集塵部８があり、放電部７には内部に放電電極９と対向電極１０が備えられ、放電電極９の長手方向１１に対称となるように、両側に一体となった対向電極１０を配し、放電電極９にプラスの高電圧を印加する。集塵部８は、内部にくの字状１２に曲げた対向電極１０、同様に曲げた中圧電極１３、同様に曲げた対向電極１０と導通した短小の対向電極１４、及び同様に曲げた対向電極１０の順に交互に備えられ、中圧電極１３には、放電電極９に印加した電圧より低く対向電極１０、短小の対向電極１４に放電しない程度のプラスの高電圧を印加する。放電電極９の長手方向１１に対称となるように配した対向電極１０の間に入る短小の対向電極１４は複数枚でもよく、中圧電極１３はそれに応じて交互に入れる。電気集塵部３は、高電圧印加装置６を有した電源部２から、取り外し洗浄することができるように構成されている。
【００３１】
上記構成により、本発明の電気集塵ユニット１の動作について説明する。
【００３２】
空気調和機を運転し、室内を空調する場合には、電気集塵ユニット１を稼動して集塵を行い、空気調和機に吸込まれた空気を浄化して室内に供給する。その際には、高電圧印加装置６で発生した高電圧は、高電圧供給板４ａ及びアース供給棒５ａからそれぞれ高電圧受給板４ｂ及びアース受給板５ｂを介して電気集塵部３に供給される。電気集塵部３においては、上流１５の放電部７の放電電極９にプラスの高電圧を印加することで、空気中の塵埃をプラスに帯電させ、下流１６の集塵部８の中圧電極１３には、放電電極９に印加する高電圧より低く対向電極１０、短小の対向電極１４に放電しない程度のプラスの高電圧を印加することで、プラスに帯電させた塵埃を反発させて対向電極１０及び短小の対向電極１４に押しやり、対向電極１０及び短小の対向電極１４により集塵する。その際、中圧電極１３や対向電極１０をくの字状１２に曲げているため、曲げていない場合に比べて中圧電極１３では、プラスに帯電させた塵埃を長い距離反発させることができ、また対向電極１０では、長い距離集塵することができることに加え、直進する塵埃が屈曲部に衝突することが期待できるため、より効率良く集塵できることとなる。
【００３３】
また図５、６に示すように、電気集塵部３の中圧電極１３、対向電極１０及び短小の対向電極１４の曲げ形状は、Ｚ字状１７やＷ字状１８に曲げても良い。
【００３４】
また図７に示すように、集塵部８の対向電極１０、短小の対向電極１４と中圧電極１３のくの字状に折り曲げたの山の高さ１９は、対向電極１０，短小の対向電極１４と中圧電極１３の間の直進部電極間距離２０よりも高いことにより、放電部７でプラスに帯電された塵埃は、素通りし難くなり、より対向電極１０及び短小の対向電極１４に接触し易く、より長い距離接触することになり、効率良く集塵できることとなる。
【００３５】
また、図７、８に示すように、集塵部８の対向電極１０及び短小の対向電極１４と中圧電極１３の両端（片側のみ図示）における相互の最短の端部電極間距離２１は、くの字に曲げたそれぞれの電極間の屈曲部電極間距離２２より、大きくしたことにより、集塵部８の対向電極１０及び短小の対向電極１４と中圧電極１３の両端においては、対向電極１０及び短小の対向電極１４と中圧電極１３は、短絡し難くい構造となり、信頼性の高い電気集塵機を提供できることとなる。
【００３６】
また、図９に示すように、集塵部８の対向電極１０及び短小の対向電極１４と中圧電極１３の両端（片側のみ図示）における相互のスキマ４０に、絶縁性の樹脂２３を介在させたことにより、対向電極１０及び短小の対向電極１４と中圧電極１３は、沿面距離が大きくなり、短絡し難く、信頼性の高い電気集塵機を提供できることとなる。
【００３７】
また、図１０に示すように、集塵部８の対向電極１０及び短小の対向電極１４と中圧電極１３の両端の位置決めの樹脂２４，２３は、それぞれ独立した別個の部品としたことにより、対向電極１０及び短小の対向電極１４と中圧電極１３は、沿面距離が大きくなり、短絡し難く、信頼性の高い電気集塵機を提供できることとなる。
【００３８】
また、図１１に示すように、集塵部８の対向電極１０及び短小の対向電極１４と中圧電極１３の最下流側２５と近接するように、電極カバー２６の空気出口部２７付近にリブ２８を設けたことにより、対向電極１０及び短小の対向電極１４と中圧電極１３は、沿面距離が大きくなり、短絡し難く、信頼性の高い電気集塵機を提供できることとなる。
【００３９】
また、図１０に示すように、放電電極９、中圧電極１３両端（片側のみ図示）を、それぞれカバーした樹脂２９、２３と、それぞれの電極との間には、それぞれスキマ３０、３１を設けたことにより、対向電極１０及び短小の対向電極１４と中圧電極１３は、沿面距離が大きくなり、短絡し難く、信頼性の高い電気集塵機を提供できることとなる。
【００４０】
また、図１１に示すように、対向電極１０を覆う前面パネル３８に設けた、該対向電極１０の位置決めリブ３６は、放電電極９を中心とするＲ形状３７を設けることにより、放電電極９と前面パネル３８の必要最小距離は確保しながら、対向電極１０の位置決めの深さ３９を、十分に取ることができるため、信頼性の高い電気集塵機を提供できることとなる。
【００４１】
また、図１２に示すように、対向電極１０及び短小の対向電極１４や中圧電極１３の両端（片側のみ図示）を、それぞれバネ鋼材製の位置決め具３２で固定することにより、複雑に曲げた対向電極１０及び短小の対向電極１４や中圧電極１３を、それぞれが導通した状態で、単品で複数枚組み立てた対向電極組４１、中圧電極組４２として取り扱うことができるため、組付け性がよく信頼性の高い電気集塵機を提供できることとなる。
【００４２】
また、図１３、１４に示すように、対向電極１０及び短小の対向電極１４や中圧電極１３の中間付近を、短手方向に樹脂製の位置決め具３３で固定することにより、対向電極１０及び短小の対向電極１４と中圧電極１３間の距離を確実に保持できるため、信頼性の高い電気集塵機を提供できることとなる。また前記樹脂製の位置決め具３３は、対向電極１０及び短小の対向電極１４と中圧電極１３の中間の長手方向に、リブ３４を設けることにより、対向電極１０及び短小の対向電極１４と中圧電極１３は、沿面距離が大きくなり、短絡し難く、信頼性の高い電気集塵機を提供できることとなる。また前記位置決め具は、樹脂製に限らず、その他の絶縁性の材料を使用しても良い。
【産業上の利用可能性】
【００４３】
本技術は、空気清浄機や脱臭機等、空気浄化の分野に幅広く適用できる。
【図面の簡単な説明】
【００４４】
【図１】本発明の実施の形態の電気集塵ユニットの構成を示す概略図
【図２】同ユニットの電気集塵部の機能構成を示す概略図
【図３】同ユニットの電気集塵部の機能構成を示す概略図
【図４】同ユニットの電気集塵部の放電部、集塵部の機能構成を示す断面図と概略図
【図５】同ユニットの電気集塵部の集塵部の曲げ形状を示す断面図
【図６】同ユニットの電気集塵部の集塵部の曲げ形状を示す断面図
【図７】同ユニットの電気集塵部の集塵部オーバーラップを示す断面図
【図８】同ユニットの電気集塵部の片端の構成を示す概略図
【図９】同ユニットの電気集塵部の片端の構成を示す断面図
【図１０】同ユニットの電気集塵部の片端の構成を示す断面図
【図１１】同ユニットの電気集塵部の構成を示す断面図
【図１２】同ユニットの電気集塵部の片端の構成を示す概略図
【図１３】同ユニットの電気集塵部の片端の構成を示す概略図と断面図
【図１４】同ユニットの位置決め具を示す概略図
【図１５】特許文献の電気集塵機の構成を示す概略図
【符号の説明】
【００４５】
１      電気集塵ユニット
２      電源部
３      電気集塵部
４ａ    高電圧供給板
４ｂ    高電圧受給板
５ａ    アース供給棒
５ｂ    アース受給板
６      高電圧印加装置
７      放電部
８      集塵部
９      放電電極
１０    対向電極
１１    長手方向
１２    くの字状
１３    中圧電極
１４    短小の対向電極
１５    上流
１６    下流
１７    Ｚ字状
１８    Ｗ字状
１９    高さ
２０    直進部電極間距離
２１    端部電極間距離
２２    屈曲部電極間距離
２３    樹脂
２４    樹脂
２５    最下流側
２６    電極カバー
２７    空気出口部
２８    リブ
２９    樹脂
３０、３１  スキマ
３２、３３  位置決め具
３４    リブ
３５ａ  中電圧供給板
３５ｂ  中電圧受給板
３６    位置決めリブ
３７    Ｒ形状
３８    前面パネル
３９    深さ
４０    スキマ
４１    対向電極組
４２    中圧電極組
【図１】
2009165957.tif 000003
【図２】
2009165957.tif 000004
【図３】
2009165957.tif 000005
【図４】
2009165957.tif 000006
【図５】
2009165957.tif 000007
【図６】
2009165957.tif 000008
【図７】
2009165957.tif 000009
【図８】
2009165957.tif 000010
【図９】
2009165957.tif 000011
【図１０】
2009165957.tif 000012
【図１１】
2009165957.tif 000013
【図１２】
2009165957.tif 000014
【図１３】
2009165957.tif 000015
【図１４】
2009165957.tif 000016
【図１５】
2009165957.tif 000017